(57)【要約】【課題】マルチ通話機能の利用時に、通信装置の発着信の履歴を参照しつつ、マルチ通話時のユーザの操作をいっそう容易とする技術を提供する。【解決手段】通信装置は、マルチ通話機能に対応している。通信装置は、マルチ通話時に、ユーザによる取得操作時などのタイミングで、マルチ通話の参加者リストに示される参加者の識別情報をメモリに保持する。通信装置は、マルチ通話の開始時または通話中の少なくともいずれかのタイミングで、履歴として保持される各回のマルチ通話の参加者の識別情報に基づいて、マルチ通話へ追加する候補となる参加者候補の識別情報を、集合演算等により抽出する。通信装置は、抽出した参加者候補をマルチ通話に追加するか否かを追加確認表示部１９０に表示し、追加する操作をユーザから受け付けることで、参加者候補の通信装置をマルチ通話へと呼び出す。【選択図】図６
2016136677.tif 000002
【特許請求の範囲】
【請求項１】
複数の端末が音声通話可能に接続されるマルチ通話機能に対応した通信装置であって、
通話にかかる音声信号を送受信するための通信部と、
前記通信装置が接続したマルチ通話の参加者の識別情報を示す参加者履歴情報を記憶するための記憶部と、
前記通信装置の動作を制御するための制御部とを備え、
前記制御部は、
前記マルチ通話時に、前記マルチ通話の参加者の識別情報を取得する任意のタイミングにおける前記参加者の識別情報を、前記参加者履歴情報として前記記憶部に記憶させる履歴保持部と、
前記参加者履歴情報に基づいて、前記マルチ通話へ追加する候補となる参加者候補の識別情報を抽出し、抽出した参加者候補を前記通信装置の外部へ報知する候補抽出部とを含む、通信装置。
【請求項２】
前記制御部は、
前記マルチ通話へ参加させる対象者の識別情報に基づいて、前記マルチ通話機能に対応した他の通信機器に対して、前記マルチ通話への参加を促すための呼び出し処理を行う通話接続部と、
前記候補抽出部が抽出した参加者候補の識別情報に基づいて、前記参加者候補を前記マルチ通話へ参加させるため前記通話接続部により呼び出し処理を実行させる呼び出し部とを含む、請求項１に記載の通信装置。
【請求項３】
前記通信装置は、さらに、
ユーザの入力操作を受け付ける操作部を備え、
前記操作部がユーザから指示を受け付けたタイミングで前記参加者の識別情報を前記参加者履歴情報として前記記憶部に記憶させる、請求項１または２に記載の通信装置。
【請求項４】
前記制御部は、さらに、
前記記憶部に、前記マルチ通話の前記参加者が、前記マルチ通話に接続済みであるか、または、前記マルチ通話へ参加するよう呼び出し中であるかを参加者履歴情報として記憶させ、
前記候補抽出部は、前記参加者履歴情報に基づき、前記マルチ通話に接続済みであるか、または、前記マルチ通話へ参加するよう呼び出し中であるかに応じて参加者候補の識別情報を抽出する、請求項１から３のいずれか１項に記載の通信装置。
【請求項５】
前記候補抽出部は、前記参加者履歴情報として記憶される各回のマルチ通話の参加者の識別情報を集合として、複数のマルチ通話それぞれの集合に含まれる参加者を対象とした集合演算をすることにより、前記参加者候補の識別情報を抽出する、請求項１から４のいずれか１項に記載の通信装置。
【発明の詳細な説明】
【技術分野】
【０００１】
本開示は、複数の端末が音声通話可能に接続されるマルチ通話機能に対応した通信装置に関し、特に、マルチ通話への参加者をユーザが容易に管理するための技術に関する。
【背景技術】
【０００２】
例えば遠隔地にある複数のユーザが、会議等の目的で音声通話をするために、会議通話システムなどに代表されるマルチ通話機能が利用されている。例えば、ユーザそれぞれが、固定電話機、ＰＣ（Personal  Computer）、スマートフォンその他の通信装置を使用して、マルチ通話機能により多数の参加者と会議を行うことができる。近年では、ＶｏＩＰ（Voice  over  Internet  Protocol）による音声通話機能を使った会議通話システムも普及してきている。
【０００３】
このようにマルチ通話機能を利用して複数人が音声による通話をする場合、マルチ通話機能による通信を開始する方法は様々なものがある。例えば、特開平１０−２２４８６４号公報（特許文献１）は、マルチ通話の参加者全員が特定の番号に発呼して、互いに音声通話可能に接続する技術を記載している。また、例えば、会議の主催者が、参加者全員の通信装置に対して発呼して接続することもある。
【先行技術文献】
【特許文献】
【０００４】
【特許文献１】特開平１０−２２４８６４号公報
【発明の概要】
【発明が解決しようとする課題】
【０００５】
マルチ通話機能を利用して会議などの音声通話を行う場合、主催者が参加者全員の通信装置に対して発呼により接続することは多大な労力を要する。電話機は、通常、発信履歴と着信履歴とを保持するため、主催者が会議を開始する際、発信履歴を参照すると、過去の会議の参加者の呼び出しが容易になる。また、過去に参加したマルチ通話があった場合、ユーザは、通信装置の着信履歴を参照することで、過去に参加したマルチ通話の参加者に対して容易に発呼して新たにマルチ通話を開始することができる。
【０００６】
しかし、会議等によりマルチ通話を行っている間、マルチ通話の途中で参加者が離脱したり、新たに参加者が追加されたりする可能性があり、参加者の構成が変動し得る。特に、マルチ通話の期間が長くなるにつれて、参加者の流出入が増えてくる可能性が高まる。また、過去のマルチ通話において、通話の途中から参加したユーザは、主催者の通信装置の発信履歴に登録されない可能性がある。そのため、そのため、ユーザが電話機の発信時の履歴および着信時の履歴を用いてマルチ通話を開始する際、既に参加が不要なユーザに対して発呼してしまうおそれや、参加が必要なユーザが呼び出されないおそれがある。
【０００７】
本開示は、マルチ通話機能の利用時に、通信装置の発着信の履歴を参照しつつ、マルチ通話時のユーザの操作をいっそう容易とする技術を提供することを目的としている。
【課題を解決するための手段】
【０００８】
一実施形態に従うと、複数の端末が音声通話可能に接続されるマルチ通話機能に対応した通信装置が提供される。通信装置は、通話にかかる音声信号を送受信するための通信部と、通信装置が接続した各回のマルチ通話の参加者の識別情報を示す参加者履歴情報を記憶するための記憶部と、通信装置の動作を制御するための制御部とを備える。制御部は、マルチ通話時に、マルチ通話の参加者の識別情報を取得する任意のタイミングにおける参加者の識別情報を、参加者履歴情報として記憶部に記憶させる履歴保持部と、参加者履歴情報に基づいて、マルチ通話へ追加する候補となる参加者候補の識別情報を抽出し、抽出した参加者候補を通信装置の外部へ報知する候補抽出部とを含む。
【発明の効果】
【０００９】
一実施形態に従う通信装置によると、マルチ通話の参加者の識別情報を取得する任意のタイミングにおける参加者の識別情報を記憶部で保持するため、通信装置の発着信の履歴をいっそう活用することができ、ユーザがマルチ通話機能を利用する際の参加者との接続を容易にすることができる。
【００１０】
この発明の上記および他の目的、特徴、局面および利点は、添付の図面と関連して理解されるこの発明に関する次の詳細な説明から明らかとなるであろう。
【図面の簡単な説明】
【００１１】
【図１】実施の形態１のマルチ通話システム１の構成を示す図である。
【図２】実施の形態１の通信装置１０の構成を示すブロック図である。
【図３】会議参加者履歴情報１５１のデータ構造を示す図である。
【図４】通信装置１０がカンファレンスサーバ２０によって提供される会議通話システムを利用してマルチ通話を行う処理を示すフローチャートである。
【図５】会議参加者履歴情報１５１に基づき、通信装置１０が会議通話に追加する参加者候補を抽出し、抽出された参加者候補の通信装置に対し、会議通話へ追加するための処理を示すフローチャートである。
【図６】実施の形態１の通信装置１０において、会議参加者履歴情報１５１に基づき会議通話に追加する参加者候補を抽出する処理の画面の表示例を示す図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜実施の形態１＞
図１は、実施の形態１のマルチ通話システム１の構成を示す図である。図１に示すように、マルチ通話システム１は、通信装置１０Ａ（スマートフォン）と、通信装置１０Ｂ（タブレット）と、通信装置１０Ｃ（ＰＣ（Personal  Computer））と、カンファレンスサーバ２０とを含む。ネットワーク９０に、ブロードバンドルータ９１、無線基地局９２およびカンファレンスサーバ２０等の各装置が接続されている。以下、通信装置１０Ａ、通信装置１０Ｂ、通信装置１０Ｃ等の装置を総称して「通信装置１０」ということもある。
【００１４】
通信装置１０は、ＬＴＥ（Long  Term  Evolution）、ＣＤＭＡ（Code  Division  Multiple  Access）、およびＷｉＭＡＸ（Worldwide  Interoperability  for  Microwave  Access）などの規格に従って、無線基地局９２と無線通信する。通信装置１０は、ＩＥＥＥ（Institute  of  Electrical  and  Electronic  Engineers）８０２．１１などの無線ＬＡＮ（Local  Area  Network）規格に対応し、ブロードバンドルータ９１と無線通信する。これにより、通信装置１０は、ネットワーク９０を介してカンファレンスサーバ２０と通信することができる。
【００１５】
通信装置１０は、ＶｏＩＰ（Voice  over  Internet  Protocol）やＶｏＬＴＥ（Voice  over  LTE）による音声通話に対応している。通信装置１０は、ＶｏＩＰまたはＶｏＬＴＥ等を用いた会議通話システムにより他の通信機器と接続することで、複数の端末が音声通話可能に接続されるマルチ通話機能（グループ通話機能）をユーザに提供する。
【００１６】
カンファレンスサーバ２０は、マルチ通話に対応した会議通話システムを提供するための装置である。カンファレンスサーバ２０は、複数の通信装置１０から接続を受け付けて、接続を受け付けた複数の通信装置１０のそれぞれから音声信号を受信して、受信した音声信号を、カンファレンスサーバ２０に接続される複数の通信装置１０へ送信する。カンファレンスサーバ２０において接続を受け付ける通信装置１０の数（マルチ通話可能な通信機器の数）は、例えば、予め上限が最大３０台程度に定められているが、これに限られない。
【００１７】
図２は、実施の形態１の通信装置１０の構成を示すブロック図である。通信装置１０は、例えば、スマートフォン、タブレット、ラップトップ型ＰＣその他の通信装置である。
【００１８】
図２に示すように、通信装置１０は、アンテナ１０１と、無線通信部１１１と、物理操作キー１３１と、操作受付部（タッチパネル）１４１と、ディスプレイ１４２と、カメラ１４４と、音声処理部１４６と、マイク１４７と、スピーカ１４８と、記憶部１５０と、制御部１６０とを含む。
【００１９】
アンテナ１０１は、通信装置１０が発する信号を電波として放射する。また、アンテナ１０１は、空間から電波を受信して受信信号を無線通信部１１１へ与える。本実施形態では、通信装置１０は、複数の無線通信規格に対応している。通信方式として、Ｗ−ＣＤＭＡ（Wideband  Code  Division  Multiple  Access）、ＬＴＥその他の通信方式がある。また、通信装置１０は、ＩＥＥＥ８０２．１１などの無線ＬＡＮ規格にも対応する。
【００２０】
無線通信部１１１は、通信装置１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、通信装置１０が送受信する無線信号の変復調や周波数変換を行い、受信信号を制御部１６０へ与える。例えば、無線通信部１１１は、通信装置１０がマルチ通話により複数の通信装置と通信する際に、音声信号を送受信する。
【００２１】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００２２】
操作受付部１４１は、ユーザの入力操作を受け付ける。操作受付部１４１は、例えば静電容量方式のタッチパネルを用いることによって、ユーザの接触位置を検出する。操作受付部１４１は、検出したユーザの接触位置を示す信号を入力操作として制御部１６０へ出力する。
【００２３】
ディスプレイ１４２は、制御部１６０の制御に応じて、画像、動画、テキストなどのコンテンツを表示する。ディスプレイ１４２は、例えばＬＣＤ（Liquid  Crystal  Display）や有機ＥＬ（Electro-Luminescence）ディスプレイによって実現される。
【００２４】
カメラ１４４は、カメラモジュールを含み、受光素子に入射した光を電気信号に変換する。例えば、通信装置１０は、マルチ通話により他の通信装置と通信する際に、音声信号とともにカメラ１４４の撮影により生成される動画を送信する。
【００２５】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を通信装置１０の外部へ出力する。
【００２６】
記憶部１５０は、例えばフラッシュメモリ等により構成され、通信装置１０が使用するデータおよびプログラムを記憶する。ある局面において、記憶部１５０は、会議参加者履歴情報１５１と、会議番号情報１５２と、資料データ１５３とを記憶する。会議参加者履歴情報１５１は、通信装置１０が過去に接続した複数回のマルチ通話の各回について、マルチ通話の参加者の履歴を示す情報である。会議参加者履歴情報１５１において、各回のマルチ通話において、時刻情報と、参加者の識別情報とが対応付けられている。マルチ通話の進行に伴って新たに参加者が増えたり、参加者が離脱したりすることがある。会議参加者履歴情報１５１は、マルチ通話の進行に伴って、任意のタイミングにおける参加者のリストと時刻情報とを対応づけたものである。会議番号情報１５２は、通信装置１０がマルチ通話に接続するための接続先を示す情報であり、例えば、会議通話システムに接続するための電話番号である。資料データ１５３は、会議通話システムにおいて、例えば資料として表示可能な静止画、動画、音声その他のコンテンツである。
【００２７】
制御部１６０は、記憶部１５０に記憶されるプログラムを読み込んで、当該プログラムに含まれる命令を実行することにより、通信装置１０の動作を制御する。制御部１６０は、例えばアプリケーションプロセッサである。制御部１６０は、プログラムに従って動作することにより、会議通話接続部１６１と、参加者履歴保持部１６２と、参加者候補抽出部１６３と、参加者呼出し部１６４としての機能を発揮する。
【００２８】
会議通話接続部１６１は、通信装置１０がマルチ通話により複数の通信装置との通話を実行する際に、マルチ通話の参加者の識別情報（例えば、参加者の名称と対応付けられた電話番号など）に基づいて、マルチ通話機能に対応した他の通信装置に対して、マルチ通話への参加を促すための呼び出し処理を行う。
【００２９】
参加者履歴保持部１６２は、マルチ通話時に、マルチ通話の参加者の識別情報（参加者の名称、参加者の名称と対応付けられた電話番号その他の参加者を特定する情報）を取得するタイミングの都度、参加者の識別情報を会議参加者履歴情報１５１として記憶部１５０に記憶させる。例えばマルチ通話の参加者の識別情報を取得するタイミングとして、ユーザがマルチ通話の参加者のリストをメモリに保存する指示をするための入力操作を操作受付部１４１等によって受け付けた時などがある。また、通信装置１０は、マルチ通話が実行されている場合に、一定時間ごとにマルチ通話の参加者の識別情報を会議参加者履歴情報１５１として記憶部１５０に記憶させてもよい。参加者履歴保持部１６２は、マルチ通話の参加者のリストを記憶部１５０に記憶させる際に、マルチ通話の参加者がマルチ通話に接続済みの状態であるか（マルチ通話において音声通話が可能な状態であるか）、または、マルチ通話へ参加するよう呼び出し中の状態であるか（マルチ通話へは未接続の状態）を参加者の識別情報と対応付けて記憶する。
【００３０】
参加者候補抽出部１６３は、会議参加者履歴情報１５１として記憶される各回のマルチ通話の参加者の識別情報に基づいて、マルチ通話へ追加する候補となる参加者候補の識別情報を抽出する。参加者候補抽出部１６３は、抽出した参加者候補を、通信装置１０の外部へ、ディスプレイ１４２に表示する等により報知する。参加者候補抽出部１６３は、参加者履歴情報１５１に基づき、マルチ通話に接続済みであるか、または、マルチ通話へ参加するよう呼び出し中であるかに応じて参加者候補の識別情報を抽出することとしてもよい。また、参加者候補抽出部１６３は、参加者履歴情報１５１として記憶される各回のマルチ通話の参加者の識別情報を集合として、複数のマルチ通話それぞれの集合に含まれる参加者を対象とした集合演算をすることにより、参加者候補の識別情報を抽出する。
【００３１】
参加者呼出し部１６４は、参加者候補抽出部１６３が抽出した参加者候補の識別情報に基づいて会議通話接続部１６１により呼び出し処理を実行させることにより、参加者候補をマルチ通話へ参加させる。
【００３２】
＜データ構造＞
図３を参照して、実施の形態１のマルチ通話システム１で使用されるデータのデータ構造について説明する。
【００３３】
図３は、会議参加者履歴情報１５１のデータ構造を示す図である。図３に示すように、会議参加者履歴情報１５１は、各回のマルチ通話について、参加者の識別情報と時刻情報とを対応付けたものである。また、図３に示すように、会議参加者履歴情報１５１は、１回のマルチ通話において、複数件の参加者の識別情報を含む。通信装置１０は、任意のタイミングでマルチ通話の参加者の識別情報を取得するよう構成されている。会議参加者履歴情報１５１は、参加者のリストの取得のタイミングにおいて、時刻情報と、参加者の識別情報とを対応付けたものである。会議参加者履歴情報１５１の各レコードは、会議識別情報（会議ＩＤ（Identification））１５１Ａと、参加者リスト１５１Ｂとを含む。
【００３４】
会議識別情報１５１Ａは、各回のマルチ通話を識別する識別情報である。通信装置１０は、マルチ通話を開始するたびに、各マルチ通話に識別情報を付与している（または、カンファレンスサーバ２０によって、各マルチ通話に識別情報が付与される）。図示していないが、通信装置１０は、会議識別情報１５１Ａに示されるマルチ通話の識別情報に対し、会議通話システムを利用するための電話番号の情報と、会議通話システムの利用を開始した時刻情報とを対応付けて記憶している。
【００３５】
参加者リスト１５１Ｂは、マルチ通話の識別情報に示される各回のマルチ通話において、参加者の識別情報と時刻情報とを対応付けたものである。参加者リスト１５１Ｂは、各マルチ通話における参加者の変化を示す。参加者リスト１５１Ｂは、参加者の識別情報に示される参加者が、マルチ通話に接続済であるか、または、マルチ通話へ接続するための呼び出し中の状態であるかを対応付けて記憶する。例えば、参加者「User_AA」について、状態「（接続済）」は、参加者「User_AA」がマルチ通話へ接続済みであることを示す。また、例えば、参加者「User_CC」について、状態「（呼出し中）」は、参加者「User_CC」に対して、マルチ通話へ参加させるための呼び出し処理が行われており、未だマルチ通話へは参加していないことを示す。
【００３６】
＜動作＞
図４を参照して、通信装置１０の動作について説明する。
【００３７】
図４は、カンファレンスサーバ２０によって提供される会議通話システムを利用して、通信装置１０がマルチ通話を行う処理を示すフローチャートである。図４に示す処理は、例えば、通信装置１０が会議通話システムを利用するためのアプリケーションを起動することにより開始される。以下、通信装置１０は、会議通話システムによりマルチ通話を開始するため、カンファレンスサーバ２０を介して他の通信装置を呼び出す処理を行う。
【００３８】
ステップＳ１０１において、制御部１６０は、会議通話（マルチ通話）へ参加させる参加者の識別情報（例えば、参加者の名称、参加者と対応付けられた電話番号、参加者が保有する通信装置の識別情報など）の一覧を示す参加者リストをディスプレイ１４２に表示して、操作受付部１４１を介して、参加者リストを編集する入力操作をユーザから受け付ける。通信装置１０は、ユーザの識別情報が蓄積された情報（例えば、電話帳データ）をユーザに参照させて、会議通話に参加させる参加者を指定する入力操作をユーザから受け付けることで、会議通話に参加させる参加者リストの編集操作を受け付ける。通信装置１０は、参加者リストに含まれる参加者の識別情報をメモリ（記憶部１５０）に保持しており、ユーザが会議システムに別のユーザを追加する処理を操作受付部１４１等によって受け付ける都度、参加者リストに含まれる各参加者の識別情報を更新する。また、通信装置１０は、参加者リストにおいて、参加者の識別情報と、参加者が会議通話に接続済みであるか、会議通話へ参加させるために呼出し中であるかを対応付けて記憶する。
【００３９】
ステップＳ１０３において、制御部１６０は、会議番号情報１５２に示される番号に発呼してカンファレンスサーバ２０に接続することにより会議通話システムを利用する。カンファレンスサーバ２０は、例えば、参加者の通信装置を呼び出すため、各通信装置の電話番号、各通信装置に固有の識別情報その他の情報の登録を受け付ける。制御部１６０は、ステップＳ１０１で編集操作をユーザから受け付けた参加者リストをカンファレンスサーバ２０へ送信することで、参加者リストに示される各ユーザの各通信装置を呼び出す。例えば、制御部１６０は、参加者リストに、各通信装置に固有の情報（各通信装置の電話番号または接続先となるアドレスなど）を含めてカンファレンスサーバ２０に参加者リストを送信してもよい。また、例えば、カンファレンスサーバ２０がユーザの名称と対応付けて通信装置と接続するための情報（ユーザの保有する通信装置の電話番号またはアドレスなど）を記憶する場合、制御部１６０は、参加者リストにユーザの名称を含めてカンファレンスサーバ２０へ送信することとしてもよい。カンファレンスサーバ２０は、通信装置１０から参加者リストを受信して、受信した参加者リストに示されるユーザの名称を抽出し、抽出したユーザの名称に対応付けられた通信装置の電話番号に発呼する。こうすることで、通信装置１０は、会議通話を開始するため、各通信装置を呼び出す。
【００４０】
ステップＳ１０５において、制御部１６０は、ステップＳ１０３で呼び出した各通信装置の少なくとも一部が会議通話システムへの接続を完了すると、マルチ通話を開始する。
【００４１】
ステップＳ１０７において、制御部１６０は、通信装置１０のユーザがマルチ通話の参加者のリストをメモリに保存させる指示をするための入力操作を操作受付部１４１等によって受け付けたか否かを判断する。参加者リストを保存する指示がユーザによって行われた場合（ステップＳ１０７においてＹＥＳ）、制御部１６０は、ステップＳ１０９の処理を行い、そうでない場合（ステップＳ１０７においてＮＯ）、ステップＳ１１１の処理を行う。
【００４２】
ステップＳ１０９において、制御部１６０は、メモリに保持されている会議通話の参加者リストを読み出して、読み出した時点の時刻情報と、読み出した参加者リストとを、保存の設定に従って会議参加者履歴情報１５１に保存する。保存の設定とは、例えば、通信装置１０が会議通話の参加者リストを会議参加者履歴情報１５１に保存するためのデータのフォーマット、会議参加者履歴情報１５１に保存する対象となる参加者などの設定を示す。実施の形態１の例では、制御部１６０は、参加者リストに含まれる全ての参加者の識別情報を保存の対象として、各参加者が会議通話に接続済であるか、または会議通話へ呼出し中であるかを対応付けて参加者リストを会議参加者履歴情報１５１に保存する。
【００４３】
ステップＳ１１１において、制御部１６０は、会議参加者履歴情報１５１として記憶される各回の会議通話の参加者の識別情報に基づいて、会議通話へ追加する候補となる参加者候補を抽出する指示を示す入力操作を、操作受付部１４１等を介してユーザから受け付けたか否かを判断する。各回の会議通話の参加者の識別情報に基づいて、参加者候補を抽出する指示を示す入力操作を受け付けた場合（ステップＳ１１１においてＹＥＳ）、制御部１６０は、ステップＳ１１３の処理を行い、そうでない場合（ステップＳ１１１においてＮＯ）、ステップＳ１１５の処理を行う。
【００４４】
ステップＳ１１３において、制御部１６０は、会議通話へ追加する参加者候補を会議参加者履歴情報１５１から抽出する条件の指定をユーザから受け付けて、受け付けた条件に従って、会議参加者履歴情報１５１に基づき参加者候補を抽出する。制御部１６０は、抽出された参加者候補の通信装置に対し、会議通話へ参加させるための呼び出し処理を行う。このステップＳ１１３の処理の詳細については後述する。
【００４５】
ステップＳ１１５において、制御部１６０は、会議通話を終了するための指示を、ユーザまたはカンファレンスサーバ２０等から受け付けたか否かを判断する。会議通話を終了する指示がある場合（ステップＳ１１５においてＹＥＳ）、制御部１６０は、会議通話を終了し、そうでない場合（ステップＳ１１５においてＮＯ）、ステップＳ１０７の処理を行う。
【００４６】
＜会議通話に追加する参加者候補を抽出する処理＞
図５を参照して、図４のステップＳ１１３の処理の詳細を説明する。
【００４７】
図５は、会議参加者履歴情報１５１に基づき、通信装置１０が会議通話に追加する参加者候補を抽出し、抽出された参加者候補の通信装置に対し、会議通話へ追加するための処理を示すフローチャートである。
【００４８】
ステップＳ１３１において、制御部１６０は、会議参加者履歴情報１５１に基づいて、複数の会議の履歴の指定をユーザから受け付ける。すなわち、制御部１６０は、過去に開催された各界の会議通話のうち、参加者候補の抽出に使用する会議通話の回の指定をユーザから受け付ける。
【００４９】
ステップＳ１３３において、制御部１６０は、ユーザにより指定された複数の会議通話の履歴に対し、参加者候補を抽出する条件として、各回の会議通話の参加者の集合演算の演算方法の指定をユーザから受け付けて、受け付けた集合演算の演算方法に従って参加者候補を抽出する。実施の形態１では、制御部１６０は、ユーザにより指定された複数の会議通話の履歴に対し、各回の会議通話の参加者の和集合をとるか、または積集合をとるかの指定を受け付ける。
【００５０】
ステップＳ１３５において、制御部１６０は、ステップＳ１３３の処理によって抽出された参加者候補の通信装置に対し、会議通話へ追加するため発信する。制御部１６０は、抽出された参加者候補について、発信をするか否かのユーザの確認が必要である場合は、ユーザから発信の指示を受け付けてから、参加者候補の通信装置に対し、会議通話へ追加するため発信する。
【００５１】
ステップＳ１３７において、制御部１６０は、会議通話へ追加するため発信した参加者候補を参加者リストに含めて、参加者リストを会議参加者履歴情報１５１に記憶させる。
【００５２】
＜画面の表示例＞
図６は、実施の形態１の通信装置１０において、会議参加者履歴情報１５１に基づき会議通話に追加する参加者候補を抽出する処理の画面の表示例を示す図である。
【００５３】
図６の状態（Ａ）は、通信装置１０が会議通話を開始している状態である。状態（Ａ）に示すように、通信装置１０は、ディスプレイ１４２に、会議ＩＤ表示部１８１と、時刻表示部１８２と、参加者リスト表示部１８３と、履歴記憶指示部１８４と、参加者抽出指示部１８５とを表示する。会議ＩＤ表示部１８１は、会議通話の識別情報を表示する領域である。時刻表示部１８２は、会議通話が行われている時刻を表示する領域である。参加者リスト表示部１８３は、会議通話に参加している参加者のリストを表示する領域である。通信装置１０は、参加者リスト表示部１８３に、会議通話へ参加している参加者を、状態「接続済」と表示し、会議通話へ呼出し中の参加者を、状態「呼び出し中」と表示する。履歴記憶指示部１８４は、参加者リスト表示部１８３に表示される参加者リストを履歴として会議参加者履歴情報１５１に記憶させる指示を操作受付部１４１によりユーザから受け付ける領域である。参加者抽出指示部１８５は、会議参加者履歴情報１５１に記憶される過去の各回の会議通話の履歴に基づいて、参加者候補を抽出するための指示を操作受付部１４１によりユーザから受け付ける領域である。状態（Ａ）は、図４のステップＳ１０５の処理を制御部１６０が実行した状態に対応する。
【００５４】
図６の状態（Ｂ）は、状態（Ａ）において参加者抽出指示部１８５に対する入力操作をユーザから受け付けて、会議通話へ追加する参加者候補を抽出するための条件の指定を受け付ける画面の例である。参加者履歴表示部１８６は、会議参加者履歴情報１５１に基づき、ユーザから指定を受け付けた、過去の複数の会議の識別情報および参加者を表示する領域である。和演算指示部１８８は、ユーザにより指定された過去の複数の会議通話の履歴に対し、参加者候補を抽出する条件として、各回の会議通話の参加者の和集合をとることの指定をユーザから受け付けるための領域である。積演算指示部１８７は、ユーザにより指定された過去の複数の会議通話の履歴に対し、参加者候補を抽出する条件として、各回の会議通話の参加者の積集合をとることの指定をユーザから受け付けるための領域である。状態（Ｂ）は、図５のステップＳ１３１およびステップＳ１３３の処理に対応する。状態（Ｂ）では、制御部１６０は、会議参加者履歴情報１５１に基づいて、会議履歴「Ａ」および会議履歴「Ｂ」の指定をユーザから受け付けており（ステップＳ１３１）、会議履歴「Ａ」の参加者および会議履歴「Ｂ」の参加者を参加者履歴表示部１８６に表示する。
【００５５】
図６の状態（Ｃ）は、状態（Ｂ）において積演算指示部１８７に対する入力操作をユーザから受け付けて、ユーザにより指定された過去の会議通話の参加者の積集合を演算することで参加者候補を抽出した場合の画面の例を示す。追加確認表示部１９０は、ユーザの指定に基づき抽出された参加者候補を会議通話に追加するか否かの発信確認のメッセージを表示する領域である。非追加指示部１９１は、追加確認表示部１９０に表示される発信確認に対し、参加者候補へ発信しないよう指示する入力操作をユーザから受け付けるための領域である。追加指示部１９２は、追加確認表示部１９０に表示される発信確認に対し、参加者候補へ発信するよう指示する入力操作をユーザから受け付けるための領域である。状態（Ｃ）は、図５のステップＳ１３５の処理に対応する。
【００５６】
図６の状態（Ｄ）は、状態（Ｃ）においてユーザが追加指示部１９２に対する入力操作を行って、参加者候補への呼び出し処理が行われている状態の画面の例を示す。状態（Ｃ）と比較すると、状態（Ｄ）において、制御部１６０は、参加者候補「ＸＸ」に対する呼出し処理を行っており、参加者リスト表示部１８３の参加者リストに、参加者「ＸＸ」を状態「呼び出し中」にして表示する。状態（Ｄ）は、図５のステップＳ１３７の処理に対応する。
【００５７】
＜まとめ＞
実施の形態１のマルチ通話システム１によると、会議の主催者は、過去の会議の参加メンバーの情報を有効に利用することができ、会議通話を開催した後、再度の会議開催時に、参加が必要なメンバーに容易に接続することができる。そのため、実施の形態１のマルチ通話システム１によると、会議の主催者の作業労力を大幅に軽減させることができる。
【００５８】
また、マルチ通話システム１は、過去の複数の会議通話の参加者の和（ＯＲ）や積（ＡＮＤ）のメンバーに発信可能としているため、例えば、複数の会議通話の履歴を指定して、積（ＡＮＤ）の集合演算を施すことにより、過去の複数の会議通話の全てに参加するメンバーに対して会議通話に参加させるための呼び出しを行うことができる。また、例えば、複数の会議通話の履歴を指定して、和（ＯＲ）の集合演算を施すことにより、会議の途中で離脱したメンバーを含めて、過去の複数の会議通話に参加した全てのメンバーに対して、会議通話に参加させるための呼び出しを行うことができる。
【００５９】
＜実施の形態２＞
実施の形態１の通信装置１０は、図４で説明したステップＳ１０９の処理において、会議通話の参加者リストに含まれる全ての参加者の識別情報を保存の対象として、各参加者が会議通話に接続済みであるか、または会議通話へ呼出し中であるかを対応付けて会議参加者履歴情報１５１に参加者リストを保存することとして説明している。参加者リストに含まれる各参加者の識別情報を会議参加者履歴情報１５１に保存する方法は、これに限られない。
【００６０】
（１）例えば、制御部１６０は、参加者リストをメモリに保存する指示がユーザによって行われた場合に（ステップＳ１０７においてＹＥＳ）、会議通話に接続中の参加者の識別情報を保存対象とし、会議通話に接続していない呼び出し中の参加者の識別情報を保存対象としないこととしてもよい。これにより、通信装置１０は、ユーザに対し、会議通話に接続して、実際に会議に参加した参加者を、別の会議通話の開催時および会議通話の進行中に、容易に参加者に追加させることができる。例えば、ユーザは、継続して開催される会議通話のメンバーを、会議参加者履歴情報１５１に基づき容易に呼び出すことができる。
【００６１】
（２）また、例えば、制御部１６０は、会議通話において呼び出し中の参加者の識別情報を保存対象とし、会議通話に接続中の参加者の識別情報を保存対象としないこととしてもよい。これにより、通信装置１０は、ユーザに対し、会議通話に呼び出したにもかかわらず接続されなかったユーザを、別の会議通話の開催時等において、容易に参加者に追加させることができる。例えば、ユーザは、過去の会議通話に参加できなかったメンバーを、会議参加者履歴情報１５１に基づき容易に呼び出すことができる。
【００６２】
＜実施の形態３＞
実施の形態１の通信装置１０は、図４で説明したステップＳ１１３の処理において、参加者を抽出する条件に従って抽出された参加者候補に対し、会議通話へ追加するための呼び出し処理を行う。この他にも、通信装置１０は、会議通話中に、過去の会議通話の履歴を参照する入力操作をユーザから受け付けると、過去の会議通話の参加者と、現在の会議通話の参加者との差分を算出し、差分に相当するメンバーに対し、現在の会議通話へ参加させるための呼び出し処理を行うこととしてもよい。これにより、ユーザは、不要な発信を行うことなく、過去の会議通話の参加者全員に発信することができる。また、通信装置１０は、ユーザが指定した過去の会議通話の参加者と、現在の会議通話の参加者との差分に相当するメンバーに対し、自動的に呼び出し処理を行うこととしてもよいし、呼び出し処理を行うか否かを、差分に相当するメンバーそれぞれについてユーザが個別に指定可能であるとしてもよい。
【００６３】
また、例えば、制御部１６０は、ステップＳ１１３の処理において、過去の会議通話の参加者が、会議通話に接続済みであったか、または、会議通話に呼び出し中であったかを、参加者候補を抽出するための条件としてもよい。
【００６４】
これにより、会議通話の開催時または会議通話の進行中に、通信装置１０のユーザは、メンバーの追加を容易に行うことができる。
【００６５】
また、通信装置１０は、図４のステップＳ１０７において、会議通話に参加している参加者リストを保存するユーザの指示があった場合に、会議通話の参加者リストを会議参加者履歴情報１５１に保存することとして説明しているが、会議通話などのマルチ通話時に、マルチ通話の参加者の識別情報を取得するタイミングは、ユーザによる入力操作があったタイミングに限られない。例えば、通信装置１０は、マルチ通話の開始後、ユーザの指示にかかわらず、一定の時間間隔で自動的に会議通話の参加者リストを会議参加者履歴情報１５１に保存することとしてもよい。また、通信装置１０は、マルチ通話の開始後、マルチ通話の参加者リストに含まれる参加者の状態に変化があった場合（例えば、呼出し中であった参加者が、マルチ通話に接続したタイミングや、マルチ通話に接続している参加者がマルチ通話から離脱したタイミングなど）に、会議通話の参加者リストを会議参加者履歴情報１５１に保存することとしてもよい。
【００６６】
本実施の形態に係る電子機器は、プロセッサと、その上で実行されるプログラムにより実現される。本実施の形態を実現するプログラムは、通信インタフェースを介してネットワークを利用した送受信等により提供される。
【００６７】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６８】
１  マルチ通話システム、１０  通信装置、２０  カンファレンスサーバ、９０  ネットワーク、９１  ブロードバンドルータ、９２  無線基地局、１０１  アンテナ、１１１  無線通信部、１３１  物理操作キー、１４１  操作受付部、１４２  ディスプレイ、１４４  カメラ、１４６  音声処理部、１４７  マイク、１４８  スピーカ、１５０  記憶部、１５１  会議参加者履歴情報、１５２  会議番号情報、１５３  資料データ、１６０  制御部、１６１  会議通話接続部、１６２  参加者履歴保持部、１６３  参加者候補抽出部、１６４  参加者呼出し部、１８１  会議ＩＤ表示部、１８２  時刻表示部、１８３  参加者リスト表示部、１８４  履歴記憶指示部、１８５  参加者抽出指示部、１８６  参加者履歴表示部、１８７  積演算指示部、１８８  和演算指示部、１９０  追加確認表示部、１９１  非追加指示部、１９２  追加指示部。
【図１】
2016136677.tif 000003
【図２】
2016136677.tif 000004
【図３】
2016136677.tif 000005
【図４】
2016136677.tif 000006
【図５】
2016136677.tif 000007
【図６】
2016136677.tif 000008